(57)【要約】      （修正有）【課題】  流量が大きく迅速に漏水を導水場所まで導くことができ、かつ設置作業が容易な導水装置を提供することである。【解決手段】  導水装置1は、一端部が水溜まり部に設けられ、他端部が一端部よりも下方に配置される導水路本体2と、導水路に設けられ、付着した水が毛細管現象によって浸透する導水体3と、前記導水体が設けられた導水路本体の両端部にわたって通路を形成する通路形成体4と、一端が導水路本体の他端に連なり、他端が導水路本体の一端よりも下方に延び、導水体から落下した水が流路断面を塞いだ状態で流下する排出管路を有する排出管路体5とを含むので、毛細管現象およびサイホンの原理を利用して漏水を漏水溜まり部から導水場所に迅速に導くことができる。【選択図】      図１
2006336325.tif 000002
【特許請求の範囲】
【請求項１】
水溜まり部から導水場所に水を導くための導水装置であって、
一端から他端にわたって連続した導水路を有し、一端部が水溜まり部に設けられ、他端部が一端部よりも下方に配置される導水路本体と、
導水路に設けられ、付着した水が毛細管現象によって浸透する導水体と、
前記導水体が設けられた導水路本体の両端部にわたって通路を形成する通路形成体と、
一端が導水路本体の他端に連なり、他端が導水路本体の一端よりも下方に延び、導水体から落下した水が流路断面を塞いだ状態で流下する排出管路を有する排出管路体とを含む導水装置。
【請求項２】
水溜まり部から導水場所に水を導くための導水装置であって、
一端から他端にわたって連続した導水路を有し、一端部が水溜まり部に設けられ、他端部が一端部よりも下方に配置される導水路本体と、
導水路に設けられ、付着した水が毛細管現象によって浸透する導水体と、
一端から他端にわたって連続したバイパス管路を有し、一端部が水溜まり部に設けられるバイパス管路体と、
一端が導水路本体の他端とバイパス管路体の他端とに連なり、他端がバイパス管路体の一端よりも下方に延び、導水体から落下した水が流路断面を塞いだ状態で流下する排出管路を有する排出管路体とを含む導水装置。
【発明の詳細な説明】
【技術分野】
【０００１】
本発明は、たとえば漏水などの水を導水場所に導くための導水装置に関する。
【背景技術】
【０００２】
エレベータピットおよび地下室など、コンクリートで構築された地下構造物の壁および床構造体に、気温の変化によるコンクリートの膨張および収縮ならびに地震などの振動によって亀裂が生じる場合がある。この亀裂から地下水および雨水が地下構造物内の空間に滲出することがある。また、壁と床構造物とのコンクリート打継ぎ手部分である目地部から地下水および雨水が滲出することがある。さらに、コンクリート打設後の硬化過程で構造物に空隙が生じる場合がある。この空隙からも雨水および地下水などが滲出することがある。
【０００３】
このように地下構造物内の空間に滲出した水を漏水という。漏水は、構造物の劣化をひきおこし、コンクリートの部分的な剥離および脱落の原因となる。このような場合、漏水を漏水溜まり部から構造物の床下にある導水場所である排水ピットまで導き、排水ピットに一時的に貯水した後に排水ポンプによって下水道などの排水処理設備に排出する。
【０００４】
図１２は、従来の技術の導水構造１０１を示す鉛直断面図である。導水構造１０１は、地下構造物の床構造体８に滲出した漏水１０６を、排水ピット１２７まで導くための構造である。導水構造１０１は、漏水が滲出す部分である漏水溜まり部１２８から排水孔１０２まで導水溝１０３を形成することによって、床構造体１０８に形成される構造である。導水溝１０３は、漏水溜まり部１２８から排水孔１０２に向かうにつれて下方に傾斜する勾配を有しており、漏水溜まり部１２８から排水ピット１２７まで漏水１０６を導くことができる。
【０００５】
図１３は、他の従来の技術の導水装置１０１Ａを示す鉛直断面図である。図１３の導水装置１０１Ａは、図１２に示す導水装置１０１と類似しており、対応する構成に同一の符号を付し、異なる構成についてだけ説明する。
【０００６】
図１３の導水装置１０１Ａでは、導水溝１０３に導水体である導水紐１１９が設けられる。導水紐１１９は、紐であり、付着した水が毛細管現象によって導水紐に浸透する。導水紐１１９は、一端部が漏水溜まり部１２８に配置され、他端部が排水孔１０２から排水ピット１２７に向けて垂下される。導水溝１０３は、ガラス繊維強化エポキシ樹脂から成る被覆材１２１によって上方から覆われ、導水紐１１９が導水溝１０３に固定される。被覆材１２１によって導水溝１０３を覆うにあたって、エポキシ樹脂を含む被覆材１２１が固化する前に、導水紐１１９に浸入してしまうことを防ぐために、導水紐１１９は、アルミ箔１２２によって被覆されている。
【０００７】
導水装置１０１Ａでは、漏水溜まり部１２８で導水紐１１９の一端部に水が付着すると、毛細管現象によって導水紐１１９の一端部から他端部に漏水１０６を移動させて、排水ピット１２７に漏水１０６を導くことができる。
【０００８】
図１４は、さらに他の従来の技術の導水装置１０１Ｂを示す鉛直断面図である。図１４の導水装置１０１Ｂは、図１３に示す導水装置１０１Ａと類似しており、対応する構成に同一の符号を付し、異なる構成についてだけ説明する。
【０００９】
図１４の導水装置１０１Ｂは、吸水管１２５と、導水紐１１９と、内径３〜５ｍｍの導水管１２６とを有する。吸水管１２５は、床構造体１０８に形成された導水溝１０３に設けられ、漏水溜まり部１２８で一端部が開口して設けられている。吸水管１２５の他端部は、排水孔１０２から下方へ突出して吸水管の一端部よりも下方に配置されている。導水紐１１９は、吸水管１２５に満たされた状態で設けられる。また、導水紐１１９は、一端部が吸水管１２５の一端部から突出して漏水溜まり部１２８に設けられ、他端部が一端部よりも下方に配置されている。吸水管１２５の他端部には、導水管１２６が接続され、導水管１２６は、排水ピット１２７に向って開口している。また導水装置１０１Ｂでは、吸水管１２５および導水紐１１９の一端部が被覆材１２１およびアルミ箔１２２で被覆される。
【００１０】
この導水装置１０１Ｂは、第１の排水動作段階として、導水紐１１９の一端部に水が付着すると、毛細管現象によって吸水管１２５を透して、漏水１０６が導水管１２６まで導かれ、導水管１２６から排水ピット１２７に排出される。導水管１２６の他端部から漏水が排出されると、導水装置１０１Ｂ内の漏水の排水方向上流側の内部空間が減圧され、吸水管１２５の漏水溜まり部１２８側の端部から漏水を吸引する。漏水１０６の吸引とともに第２の排水動作段階に移行し、サイホンの原理によって、漏水溜まり部１２８の漏水１０６が排水ピット１２７に連続的に導かれる（たとえば特許文献１参照）。
【００１１】
【特許文献１】特許第３５６０９２１号公報
【発明の開示】
【発明が解決しようとする課題】
【００１２】
図１２に示す導水構造１０１では、導水溝１０３に塵および埃が入り、漏水１０６の流路を塞ぎ、漏水１０６が円滑に導水溝１０３を流れない場合がある。また、コンクリート構造物の亀裂などから滲出する漏水１０６には、水酸化カルシウムが溶けている場合がある。漏水１０６が二酸化炭素などの炭酸ガスを吸収すると、炭酸ガスと水酸化カルシウムが反応して炭酸カルシウム（以下「エフロ」という。）が析出する。
【００１３】
導水溝１０３は外気に晒されているので、導水溝１０３を流れる漏水１０６が炭酸ガスを吸収し、エフロが導水溝１０３および排水孔１０２に析出し漏水の流路を塞ぐことがある。エフロの析出によって漏水１０６の流路が塞がれると、漏水１０６が円滑に導水溝１０３を流れなくなる。したがって漏水１０６を大きな流量で排水ピット１２７に導くことができない場合がある。
【００１４】
また図１３に示す導水装置１０１Ａでは、図１２の導水装置１０１の問題点は解決することができるが、漏水１０６を、毛細管現象によって、排水ピット１２７まで導く構造である。毛細管現象によって、略水平方向に水を導く場合は、導水距離は時間の平方根にほぼ比例するので、たとえば導水装置１０１Ａの略水平方向の導水距離が２倍になると、漏水が導かれる時間が約４倍となり、導水距離が３倍になると漏水が導かれる時間が約９倍となる。
【００１５】
このように、導水装置１０１Ａを用いた場合、略水平方向の導水距離が長くなると、漏水溜まり部１２８の漏水１０６を排水ピット１２７まで迅速に導くことができない。さらに、導水紐１１９を設置した導水溝１０３および排水孔１０２付近にエフロが析出しないように導水紐１１９全体をエポキシ樹脂などによって被覆し、外気から遮断する必要がある。このように漏水１０６を迅速に排水ピット１２７に導くことができない場合があるうえ、設置作業に手間を要する。
【００１６】
また図１４に示す導水装置１０１Ｂでは、導水紐１１９の毛細管現象による導水動作から、サイホンの原理による導水動作に移行できるようにしているが、サイホンの原理による導水動作に移行したとき、導水紐１１９が邪魔をしてしまう。具体的には、吸水管１２５が形成する管路に導水紐１１９が設けられているので、サイホンの原理によって吸水管の一端部から吸引された漏水１０６が、前記管路を流れるとき、漏水１０６と導水紐１１９との間に摩擦が生じる。したがって漏水１０６は、中空の管路を移動する場合に比べて、導水紐１１９によって大きな抵抗を受ける。
【００１７】
このように摩擦による流路抵抗が大きくなると、漏水溜まり部１２８から排水ピット１２７までの水平距離が短い場合は、漏水１０６を排水ピット１２７まで導くことができたとしても、漏水溜まり部１２８から排水ピット１２７までの水平距離が長くなると、吸水管によって形成される管路を移動する漏水の流量が少なくなる。漏水の流量が少ない場合、漏水溜まり部１２８と排水ピット１２７との落差を大きくし、導水装置１の鉛直方向の導水距離を長くすれば、流量を大きくすることは可能であるが、そのような落差を確保することは困難である。このように漏水１０６を大きな流量で排水ピット１２７に導くことができない場合がある。
【００１８】
本発明の目的は、流量が大きく迅速に漏水を導水場所まで導くことができ、かつ設置作業が容易な導水装置を提供することである。
【課題を解決するための手段】
【００１９】
本発明は、水溜まり部から導水場所に水を導くための導水装置であって、
一端から他端にわたって連続した導水路を有し、一端部が水溜まり部に設けられ、他端部が一端部よりも下方に配置される導水路本体と、
導水路に設けられ、付着した水が毛細管現象によって浸透する導水体と、
前記導水体が設けられた導水路本体の両端部にわたって通路を形成する通路形成体と、
一端が導水路本体の他端に連なり、他端が導水路本体の一端よりも下方に延び、導水体から落下した水が流路断面を塞いだ状態で流下する排出管路を有する排出管路体とを含む導水装置である。
【００２０】
本発明に従えば、導水体の一端部に付着した水溜り部の水は、毛細管現象によって導水体に浸透する。導水路本体体の他端部は一端部よりも下方に配置されているので、導水体に浸透した水が導水体の他端部から落下する。導水体から落下した水は、排出管路の流路断面を塞いだ状態で流下する。
【００２１】
このとき、導水路の一端が水溜り部の水によって、塞がれていると、導水路が減圧される。導水路が減圧されると、導水路の一端側に吸引力が発生する。
【００２２】
このような吸引力は、導水装置の最上部に関して排水方向下流側に存在する水に作用する重力が、前記最上部に関して排水方向上流側に存在する水に作用する重力より大きい限り継続的に発生し、いわゆるサイホンの原理によって、導水路の一端に吸引された水を導水路の他端に移動させ、排出管路の他端から排出することができる。
【００２３】
このように、導水装置は、まず毛細管現象によって、導水動作を開始し、水溜まり部に水が溜まり導水路の一端が水で塞がれた状態になるとサイホンの原理による導水動作に移行し、いわば自動的に導水路に水を透し、排出管路の他端から排出することによって、水溜り部から導水場所へ連続して導くことができる。
【００２４】
また、通路形成体が形成する通路によって、導水路の両端にわたって導水体が存在しない流路が確保されるので、導水体が導水路に満たされた状態で設けられている場合と比較して、大きな流量で水を導水場所に迅速に導くことができる。
【００２５】
また本発明は、水溜まり部から導水場所に水を導くための導水装置であって、
一端から他端にわたって連続した導水路を有し、一端部が水溜まり部に設けられ、他端部が一端部よりも下方に配置される導水路本体と、
導水路に設けられ、付着した水が毛細管現象によって浸透する導水体と、
一端から他端にわたって連続したバイパス管路を有し、一端部が水溜まり部に設けられるバイパス管路体と、
一端が導水路本体の他端とバイパス管路体の他端とに連なり、他端がバイパス管路体の一端よりも下方に延び、導水体から落下した水が流路断面を塞いだ状態で流下する排出管路を有する排出管路体とを含む導水装置である。
【００２６】
本発明に従えば、導水体の一端部に付着した水溜り部の水は、毛細管現象によって導水体に浸透する。導水路本体体の他端部は一端部よりも下方に配置されているので、導水体に浸透した水が導水体の他端部から落下する。導水体から落下した水は、排出管路の流路断面を塞いだ状態で流下する。
【００２７】
このとき、バイパス管路の一端が水溜り部の水によって、塞がれていると、バイパス管路が減圧される。バイパス管路が減圧されると、バイパス管路の一端側に吸引力が発生する。
【００２８】
このような吸引力は、導水装置の最上部に関して排水方向下流側に存在する水に作用する重力が、前記最上部に関して排水方向上流側に存在する水に作用する重力より大きい限り継続的に発生し、いわゆるサイホンの原理によって、バイパス管路の一端に吸引された水をバイパス管路の他端に移動させ、排出管路の他端から排出することができる。
【００２９】
このように、導水装置は、まず毛細管現象によって、導水動作を開始し、水溜まり部に水が溜まりバイパス管路の一端が水で塞がれた状態になるとサイホンの原理による導水動作に移行し、いわば自動的に導水路に水を透し、排出管路の他端から排出することによって、水溜り部から導水場所へ連続して導くことができる。
【００３０】
また、バイパス管路には、導水体が設けられていないので、導水体が水の流路に満たされた状態で設けられている場合と比較して、大きな流量で水を導水場所に迅速に導くことができる。
【００３１】
また、バイパス管路体を、導水路本体に沿わせて設け、他端部を排出管路体の一端部に接続するだけの簡単な構成で、バイパス通路を形成し、前述の優れた効果を達成する導水装置を実現することができる。
【発明の効果】
【００３２】
本発明によれば、毛細管現象を利用して導水動作を開始し、サイホンの原理による導水動作に移行して、水を導水場所に導くことができる。サイホンの原理による導水動作では、導水体が存在しない流路が確保されるので、大きな流量で水を導水場所に迅速に導くことができる。さらに、導水装置を外方から被覆材で被覆するなどの作業が不要であり、導水装置の設置作業は容易である。また、導水路本体に、導水体および通路形成体が設けられるので、個別に設けられる場合に比べて、ひと纏まりに扱うことができ、取扱を容易にすることができる。
【００３３】
また本発明によれば、バイパス管路体を、導水路本体に沿わせて設け、他端部を排出管路体に接続するだけの簡単な構成で、流路抵抗の小さいバイパス管路を形成し、前述の優れた効果を達成する導水装置を実現することができる。
【発明を実施するための最良の形態】
【００３４】
図１は、本発明の実施の一形態である導水装置１が床構造体８に設置された状態を示す鉛直断面図である。図２は、導水装置１を軸線を含む一平面で切断した断面図である。図３は、非結束状態の導水体３を示す図である。
【００３５】
導水装置１は、水溜まり部から導水場所である排水ピット２０などに水を導くための装置であり、本実施の形態では、たとえば、地下室およびエレベータピットなどのコンクリートによって構築される地下構造物に設けられる。
【００３６】
コンクリートによって構築される地下構造物の壁および床構造体８に、環境温度の変化による膨張および収縮ならびに地震などによる振動に起因して、亀裂が生じる場合がある。また地下構造物は、コンクリートの打継ぎ手部分である目地部を有するとともに、コンクリートの打設後の硬化過程で生じる微細な空隙を有する場合がある。地下構造物内の空間に、亀裂、目地部および微細な空隙を介して、雨水および地下水などの水が滲出する場合がある。このように地下構造物内に滲出した水（以下「漏水」という場合がある。）が、床構造体８に溜まり、漏水溜まり部６を形成する。
【００３７】
導水装置１は、たとえば漏水溜まり部６から排水ピット２０に向って延在し、床構造体８に設けられる。前記排水ピット２０は、床構造体８の下方に設けられ、床構造体８には排水ピット２０の上方で開口する排水孔２２が形成される。排水孔２２は、排水ピット２０などの導水場所に向かって、床構造体８を略鉛直方向に穿孔することによって形成される。さらに床構造体８に、漏水溜まり部６から排水孔２２まで排水溝２３が形成される。排水溝２３は、漏水溜まり部６から排水孔２２まで、床構造体８を略水平方向に削って形成される。
【００３８】
導水装置１は、導水路本体２と、導水体３と、通路形成体４と、排出管路体５とを含んで構成される。導水装置１は、一端部が漏水溜まり部６に設けられ、漏水溜まり部６から排水溝２３を経て排水孔２２にわたって略水平に延在し、排水孔２２を挿通して下方に垂下し、他端部が床構造体８の下面から下方に突出し、排水ピット２０の水に他端部が浸からないように、排水ピット２０の上方で開口するように設けられている。排水ピット２０は、導水装置１によって供給された漏水を一時的に貯留し、この排水ピット２０に貯留される漏水は、図示しない排水ポンプによって汲出されて、下水道などの排水処理設備へ排出される。
【００３９】
導水路本体２は、一端部２ａが漏水溜まり部６に設けられ、漏水溜まり部６の内方の空間６ｓで開口し、排水溝２３を略水平に延び、排水孔２２を挿通して、他端部２ｂが排水ピット２０の上方に配置されるように、床構造体８から下方に突出して垂下される。これによって導水路本体２は、他端部２ｂが一端部２ａおよび漏水溜まり部６の底部６ａよりも下方に配置される。導水路本体２は、一端部２ａから他端部２ｂまで全長にわたって、導水路２の内方を外気から遮断することができる管状の収容体であればよく、導水路本体２の内方に外気から遮断された導水路２６を形成する。導水路本体２として、鋼管または可撓性を有する合成樹脂製のホースなどを用いることができる。本実施の形態では、塩化ビニルから成る可撓性を有するホースが用いられる。
【００４０】
導水体３は、導水路本体２の一端部２ａから他端部２ｂにわたって挿入され、導水路本体２によって形成される導水路２６に満たされた状態で設けられる。導水体３の一端部３ａは、たとえば導水路２６の一端２６ａに配置される。導水体３の他端部３ｂは、たとえば導水路２６の他端２６ｂよりも導水路２６の一端２６ａ側に退避した位置に配置される。このように導水体３は、他端部３ｂが一端部３ａよりも下方の位置でかつ導水路２６の他端２６ｂから退避した位置に配置される状態で、導水路本体２に充填される。
【００４１】
導水体３は、水を吸収し、毛細管現象が生じる部材であればよく、たとえば導水体３には、天然繊維または合成繊維の束を用いて形成される紐を用いることができる、より好ましくは、耐酸性および耐アルカリ性を有するポリエチレン繊維またはポリプロピレン繊維の連続長繊維の束を複数束撚り合わせ、あるいは編み合わせて形成される紐を用いるとよい。本実施の形態の導水体３は、ポリプロピレン繊維の連続長繊維の束である繊維束４７を複数束撚り合わせて形成される紐である。また、本実施の形態の繊維束４７は、図３に示すように繊維束４７を構成する各繊維自体に捻れを持たせ、各繊維をランダムに小さく屈曲させる。このように、繊維束４７を構成する各繊維自体に捻れを持たせることによって、導水体３を形成する繊維束４７の繊維間に空隙が形成される。
【００４２】
通路形成体４は、たとえば導水路本体２に挿入される中空筒状の管路体であって、通路形成体４の両端部４ａ，４ｂは、導水体３の両端部３ａ，３ｂよりも導水体３の長手方向内側に配置される。また通路形成体４は、一端部４ａが導水体３の一端部３ａ側で開口し、かつ他端部４ｂが導水体３の他端部３ｂ側で開口する。
【００４３】
このように通路形成体４を導水路２６に設けることによって、図２に示すように、導水路２６の長手方向に伸びる通路（以下「内通路」という場合がある。）９が通路形成体の内方に形成される。内通路９は、通路形成体４の内方に形成されるので、内通路９の一端９ａから他端９ｂの間には導水体３が存在しない。通路形成体４は、導水路本体２に挿入可能な中空の管路体などであればよく、可撓性を有する合成樹脂製のホースなどを用いることができる。本実施の形態では、塩化ビニルから成る可撓性を有するホースが用いられる。
【００４４】
排出管路体５は、導水路本体２の他端部２ｂから垂下して設けられ、他端部５ｂが一端部５ａよりも下方に配置される。排出管路体５の他端部５ｂは、排水ピットの水に浸からないように、排水ピット２０の上方に配置されている。このように排出管路体は、導水路２６と繋がる排出管路２７を排出管路体５の内方に形成する。排出管路体５は、中空の管路体であればよく、合成樹脂製のホースなどを用いることができる。本実施の形態では、塩化ビニルから成る可撓性を有するホースが用いられる。排出管路体５の内径ｄ５は、水が排出管路の流路断面を塞いだ状態で流下するような径であればよく、特に限定されるわけではないが、たとえば導水路本体２の内径よりも小さい内径であって、好ましくは、４ｍｍから６ｍｍの範囲に選ばれる。
【００４５】
本実施の形態では、導水装置１における漏水溜まり部６から排水孔２２までの略水平方向の導水距離Ｌ１は、たとえば３ｍである。排出管路体５の軸線方向の長さ（鉛直方向寸法）Ｌ２は、たとえば３０ｃｍ以上である。また排水孔２２を挿通して設けられる導水路本体の鉛直方向寸法Ｌ３は、たとえば３０ｃｍ以上４０ｃｍ以下である。したがって、導水路本体２の他端部２ｂは、一端部２ａよりも下方にあり、漏水溜まり部６の底部よりも下方に配置されている。導水体３の他端部３ｂは、一端部２ａよりも下方に配置されている。
【００４６】
図４は、導水装置１を導水路本体２の長手方向の中央部付近で軸線に垂直に切断した断面を模式的に示す図である。導水路本体２、通路形成体４の軸直角断面形状は、円筒形状である。導水路２６には、通路形成体４が設けられ、通路形成体４と導水路本体２との間に導水体３が満たされた状態で設けられる。このような通路形成体４を設けることによって、導水体３が設けられた導水路２６に、導水体３が存在しない内通路９が形成される。導水路本体２の内径ｄ２は、たとえば１０ｍｍ以上２０ｍｍ以下の範囲に選ばれる。また通路形成体４の内径ｄ４は、たとえば２ｍｍ以上６ｍｍ以下の範囲に選ばれる。
【００４７】
また、導水路本体２の少なくとも一端部２ａを覆うように、漏水溜まり部６を覆って被覆層７が形成される。被覆層７は、導水路本体２の一端部２ａの開口を塞がないように上方から覆って設けられる。被覆層７は、外気を遮断できる構成であればよく、たとえば気密性を有する細長い薄いテープ状のシート（以下「シート」という。）４３と、複合材料から成る被覆材４２とを有している。シート４３は、たとえばアルミ箔、アルミ箔、ポリプロピレン製シート、ポリエチレン製シートなど、によって実現される。本実施の形態ではアルミ箔が用いられる。被覆材４２は、ガラス繊維で強化した熱硬化性合成樹脂から成る。本実施の形態では、ガラス繊維を織って得られるガラスクロスまたはガラス繊維を布状にして得られるガラス不織布などのガラス繊維製シートを積層し、エポキシ樹脂によってガラス繊維製シートを相互に貼着して得られる。
【００４８】
被覆層７は、たとえば、アルミ箔から成るシート４３で漏水溜まり部６全体および導水路本体２一端部２ａ付近を上方から覆い、さらにシート４３全体を上方から複合材料から成る被覆材４２で覆うことによって形成される。このように被覆層７を形成することによって、漏水溜まり部６および導水装置１内の漏水が外気に触れなくなるので、漏水溜まり部６および導水装置１内でのエフロの発生を防ぐことができる。
【００４９】
図５は、サイホンの原理および毛細管現象を利用する導水動作を説明するための鉛直断面図である。図６は、図５と同様に、サイホンの原理および毛細管現象を利用する導水動作を説明するための鉛直断面図である。図５（ａ）は、ホース１０を用いて容器１１の水１２を吸い出す構成を示す鉛直断面図である。図５（ｂ）は、ホース１０の端部に容器１１の水１２が浸けられていない構成を示す鉛直断面図である。図５（ｃ）は、親水化された繊維から成る紐（以下「親水性の紐」という場合がある。）１３を用いて容器１１の水１２を吸い出す構成を示す鉛直断面図である。図５（ｄ）および図６（ａ）は、親水性の紐１３が挿入されたホース１０を用いて容器１１の水１２を吸い出す構成を示す鉛直断面図である。図６（ｂ）は、親水性の紐１３と、ホース１０の内径より小径なホース（以下「内挿ホース」という場合がある。）１５とが挿入されたホース１０を用いて容器１１の水１２を吸い出す構成を示す鉛直断面図である。図５および図６に示す容器１１の厚みは省略する。
【００５０】
図５（ａ）に示す構成では、容器１１の水１２に中空のホース１０の一端部を浸け、ホース１０の他端部を水の表面よりも下方に位置され、ホース１０の内方空間（以下「ホース１０内」という場合がある。）に水１２が満たされた状態にある。この場合、水１２は重力によってホース１０の他端部側から水滴１４となって排出される。ホース１０の他端部側から水１２が排出されると、一端部側から水１２がホース１０内に吸引されホース１０内を移動してホース１０の他端部より水滴１４となって連続的に排出される。このようにサイホンの原理によって水１２を連続的に排出することができる。
【００５１】
図５（ｂ）に示す構成では、サイホンの原理のみによる導水の場合、一旦ホース１０の一端部が水１２に浸けられた状態でなくなれば、再びホース１０が水１２に浸けられてもホース１０の他端部側からの重力による水の排出がない。したがって、ホース１０内が減圧されないので、ホース１０内を水１２が移動することがなく、サイホンの原理によって連続的に水１２を排出することができない。
【００５２】
図５（ｃ）に示す構成では、水１２は、親水性の紐１３の一端部から吸収され他端部から排出される。このように毛細管現象を利用して親水性の紐１３によって、水１２が吸収され容器１２から排出されている場合は、一旦親水性の紐１３が水１２に浸けられた状態でなくなっても、水１２が再び満たされ、水１２に親水性の紐１３が浸けられれば、水１２が親水性の紐１３の一端から吸収され、毛細管現象によって他端部から排出され、容器１１から吸い出される。
【００５３】
図５（ｄ）に示す構成では、親水性の紐１３がホース１０内に挿入され、容器１１内の水１２に親水性の紐１３およびホース１０の一端部が浸けられている。したがって、図２（ｂ）と同様に水１２は、親水性の紐１３の一端部から他端部に移動し、ホース１０の他端部から排出される。ホース１０の他端部から水１２が排出されると、ホース１０内が減圧され、水１２がホース１０一端部側から吸引され、他端部側から排出される。したがって毛細管現象およびサイホンの原理によって、水１２がホース１０一端部側からホース１０内に吸収および吸引されホース１０内を移動してホース１０の他端部側から排出されるので、図５（ｃ）の場合と比べて水１２の排出量は増す。ホース１０内に親水性の紐１３が挿入されているので、ホース１０内を水１２が移動する場合に、親水性の紐１３による抵抗があり、流量が少なくなる。
【００５４】
したがって、図５（ａ）のホースのように内部が中空の場合と比べると水１２の排出量は多くはない。またホース１０の他端部は一端部よりも下方に配置され、親水性の紐１３およびホース１０の一端部が容器１１の水１２に浸けられた状態にある。したがって、毛細管現象およびサイホンの原理によって水１２がホース１０の一端部から他端部に向かって移動して排出される。ホース１０および親水性の紐１３の全長が長くなり、たとえば１ｍ以上となった場合、流路抵抗が大きくなりホース１０内を移動する水１２の量が減少し、排出量が極端に低下する。
【００５５】
図６（ｂ）に示す構成では、ホース１０の他端部は一端部よりも下方に配置され、親水性の紐１３、ホース１０および内挿ホース１５が容器１１の水１２に浸けられた状態にある。この場合、毛細管現象によって水１２が親水性の紐１３の一端部から吸収され、親水性の紐１３の他端部に移動し、ホース１０の他端部側から排出される。
【００５６】
ホース１０の他端部側から水１２が排出されると、ホース１０内が減圧されるとともに、内挿ホース１５の内方空間（以下「内挿ホース内」という。）が減圧される。内挿ホース１５内が減圧されると、内挿ホース１５の一端部側から水１２が吸引され、水１２が内挿ホース１５内を移動する。内挿ホース１５内は中空なので、ホース１０内に隙間なく親水性の紐１３が充填されている場合と比べて、ホース１０内を水１２が移動する場合の抵抗も少なくなる。したがって、ホース１０内を水が移動する距離が長い場合でも、図６（ａ）に比べて水の排出量は飛躍的に増大する。
【００５７】
本発明の実施の一形態の導水装置１は、この図６（ｂ）に示す構成に相当する。具体的には導水路本体２はホース１０に相当し、導水体３は紐１３に相当し、通路形成体４が内挿ホース１５に相当し、容器１１に相当する漏水溜まり部６から漏水を排水ピット２０に排出する。
【００５８】
本発明の実施の一形態の導水装置１によれば、漏水溜まり部６に滲出する漏水は、まず導水体３の一端部３ａに付着して、毛細管現象によって浸透し、導水体３の他端部３ｂに移動する。漏水が導水体３の他端部３ｂまで移動すると、重力によって導水路２６の他端２６ｂに滴落ちる。導水路２６の他端２６ｂに滴落ちた漏水は、排出管路２７を流下する。排出管路体５の内径は４ｍｍなので、水の粘性および表面張力によって、排出管路２７の流路断面を塞いだ状態で漏水は流下する。
【００５９】
このとき導水路２６の一端２６ａが漏水で塞がれていると、排出管路２７を流下する漏水の水面よりも導水路２６の一端２６ａ側の導水路２６および排出管路は、前記水の流下によって減圧される。この導水路２６の減圧によって、導水路２６に吸引力が発生する。この吸引力によって、漏水溜まり部６から導水路に漏水を吸引することができる。
【００６０】
このような吸引力は、導水路本体２の最上部に関して他端部２ｂ側、換言すれば排水方向下流側に存在する水に働く重力が、前記最上部に関して一端部２ａ側、換言すれば排水方向上流側に存在する水に働く重力よりも大きい限り継続的に発生し、いわゆるサイホンの原理によって、導水路２６に吸引した漏水を、排出管路２７を流下させ排出管路９から排出することができる。
【００６１】
このように、導水装置１は、まず毛細管現象によって、導水動作を開始し、水溜まり部６に水が溜まり、導水路２６の一端２６ａが水で塞がれた状態になるとサイホンの原理による導水動作に移行し、いわば自動的に導水路２６に水を透し、排出管路２７の他端から排出することによって、水溜り部６から排水ピット２０へ連続して導くことができる。
【００６２】
また、導水路２６には、導水体が存在しない内通路９が形成されているので、導水体３による流路抵抗がない流路を、導水路２６に確保することができる。排出管路を漏水が流下することによって導水路２６が減圧される場合、内通路９も減圧されるので、導水路２６に吸引された漏水は、内通路９に吸引され、内通路９を流れる。したがって、導水路２６に導水体３が隙間なく充填されている場合と比較して、大きな流量で漏水を導水場所に迅速に導くことができる。
【００６３】
このように導水体３を用いる毛細管現象による導水動作と、サイホンの原理によって漏水を流路抵抗の小さい内通路９を流れさせる導水動作とを組合せることができ、漏水溜まり部６の漏水が一旦枯れても、再び漏水が溜まると、毛細管現象によって、導水路本体２の他端部２ｂの内部空間２６ｂまで漏水を導くことができ、導水動作を再開することができる。そして導水動作が再開されると、サイホンの原理によって内通路９を連続して流れさせて漏水を導き、排水ピット２０に排出することができる。
【００６４】
また、導水装置１では、通路形成体４の他端部４ｂが導水体３の他端部３ｂから導水体の一端部３ａに退避した位置に設けられる。したがって、サイホンの原理によって内通路９を流れ内通路９の他端９ｂから排出された漏水は、導水体３の他端部３ｂで繊維間に形成される毛細管に保持されてから導水路２６の他端２６ｂに滴落ちる。このように導水体３に保持されてから漏水が導水路２６の他端２６ｂに滴落ちるので、サイホンの原理によって内通路９を流れる漏水の流量が小さい場合であっても、排出管路２７の流路断面を塞ぐに足る量の漏水が排出管路２７を流下する。したがって、サイホンの原理による導水を確実に維持することができる。
【００６５】
またこの導水装置１では、漏水を排水ピット２０に導水するにあたって、排水溝２３および導水装置１を外気から遮断するなどの作業が不要である。このように導水装置１の設置作業が容易である。厳密に言えば、漏水溜まり部６に関して前述の被覆層７を設けなければならないが、導水装置１の一端部付近だけであり、残余の部分は不要である。さらに通路形成体４として、中空筒状の管路体が用いられるので、個別に設けられる場合に比べて、ひと纏まりに扱うことができ、取扱を容易にすることができる。
【００６６】
また、導水装置１によれば、漏水溜まり部６から排水口までの距離が長くなり、たとえば導水装置１による略水平方向の導水距離Ｌ１が１０ｍ以上となる場合は、排出管路体５の長さＬ２を１ｍ以上とする。排出管路２７の内容積を多くすることによって、導水装置１の最上部に関して排水方向下流側に存在する漏水量を増加させ、導水路２６または排出管路２７に存在する漏水の水面よりも排水方向上流側の空間をさらに減圧することができる。したがって、サイホンの原理による導水動作を確実に発生させ、継続させることができ、大きな流量で漏水を排水ピット２０などの導水場所に導くことができる。このように排出管路体５の長さＬ２は、導水装置１による略水平方向の導水距離Ｌ１に基づいて、排出管路体５内の容積分の漏水を、導水路本体２の他端部２ｂから排出することによって、漏水を内通路９に吸引することができる程度の吸引力が得られる寸法に選ばれる。
【００６７】
また排出管路体５の内径ｄ５が４ｍｍ以上６ｍｍ以下に選ばれ、排出管路体５を流下する漏水が、水の表面張力および粘性によって排出管路２７の流路断面を塞いだ状態で流下する。したがって、導水体３によって、導水路２６の他端２６ｂに導かれる漏水が少量であっても、漏水の排出管路２７での流下によって確実に導水路２６を減圧して、サイホンの原理による導水動作に移行させることができる。
【００６８】
排出管路体５の内径ｄ５が、４ｍｍ未満であると、排出管路２７における流路断面積が小さくなり過ぎて、大きな流量で漏水を導くことができない。したがって、排出管路体５の内径ｄ５を４ｍｍ以上６ｍｍ以下の範囲に選ぶことによって、漏水を、まず導水体３の毛細管現象を利用によって導き、次に確実にサイホンの原理の利用によって内通路９を流れさせて導くようにし、大きな流量で漏水を導くことができるようになる。
【００６９】
出管路体５の内径が６ｍｍ以上の場合は、排出管路２７の流路断面を塞いだ状態で漏水が流れない場合があるので、サイホンの原理による導水動作に移行しない場合がある。
【００７０】
また導水路本体２の内径ｄ２が、１０ｍｍ以上２０ｍｍ以下に選ばれるので、作業性、取扱性、設置性の良好な導水装置１を形成することができる。導水路本体２の内径ｄ２が、前記本体内径範囲を下回ると、導水体３および通路形成体４および導水体３の挿入作業が困難になる。
【００７１】
また本実施の形態では、導水路本体２、導水体３、通路形成体４および排出管路体５が、可撓性を有する構成であり、導水装置１全体が可撓性を有している。このように導水装置１が可撓性を有しているので、取扱が容易になり、設置作業が容易になる。たとえば導水装置１を排水溝２３の形状に容易に倣わせることができる。
【００７２】
また本実施の形態では、導水体３は、繊維束４７を用いて形成される紐である。漏水は、多くの場合コンクリート成分である水酸化カルシウムを含み強アルカリ性を示す場合が多い。アルカリ性の漏水を導水する場合であっても、導水体３を形成する繊維束４７は、ポリプロピレン繊維なので、エステル結合を有する天然繊維の束を用いる場合と比較して、繊維が加水分解されるおそれがなく、導水体３が劣化することを防ぐことができる。また、ポリプロピレン繊維は、耐酸性を有するので、酸性を示す漏水、たとえばめっき工場で発生する漏水を、導水装置１を用いて導水する場合であっても、導水体３が劣化することを防ぐことができる。
【００７３】
また、導水体３を形成する繊維束４７は、図３に示すように繊維束４７を構成する各繊維自体に捻れを持たせ、各繊維をランダムに小さく屈曲させる。このように繊維を捻れさせることによって、導水体３を構成する繊維束４７の繊維間に空隙が形成される。したがって、ポリプロピレン繊維を用いて導水体３を形成しても好適に毛細管現象を生じさせることができる。また、ポリプロピレン繊維を用いるので、繊維束４７の中を漏水が通過する場合、天然繊維と比較して内部抵抗が小さく、導水装置１の導水動作によって導かれる漏水の流量および流速を大きくすることができる。
【００７４】
図７は、本発明の実施の他の形態として、導水装置１を漏水溜まり部６の底部６ａが導水装置１を設置する床面２８よりも低い位置にある場合に導水装置１を設置した状態を示す鉛直断面図である。図７に示す導水装置１は、図１に示す導水装置１と類似しており、対応する構成に同一の符号を付し異なる構成についてだけ説明する。
【００７５】
本実施の形態の導水装置１は、床構造体８の床面２８に設置する。漏水は、床構造体の漏水溜まり部６の底部６ａから滲出する。床面２８から漏水溜まり部６の底部６ａまでの略鉛直方向の距離Ｌ４は５０ｍｍである。導水装置１の導水路本体２の一端部２ａは、漏水溜まり部６に設けられ、漏水溜まり部６内の空間６ｓで開口する。導水体３の一端部３ａは漏水溜まり部６の底部に当接する。導水体３には、導水体３の繊維間に、繊維の長手方向に揃って毛細管が多数形成される。したがって、導水体３は、毛細管現象によって、上方に漏水を吸い上げることができる。
【００７６】
導水体３の一端部３ａから漏水が吸収され、漏水溜まり部６の底部６ａから床面２８までの略鉛直方向の距離Ｌ４の落差を毛細管現象によって越え導水体３を上方に移動する。上方に移動した漏水は、排出管路２７を流下して排出されるので、前述したサイホンの原理によって導水装置１は、漏水を吸引し排水ピット２０まで導く。
【００７７】
このように、導水装置１によれば、毛細管現象によってして漏水をたとえば１５０ｍｍ以下の落差であれば吸い上げることができるので、漏水溜まり部６の底部６ａが床面２８より下方にある場合でも、床構造体８を削り漏水溜まり部６から排水口まで排水溝２３を形成する必要がなくなる。したがって導水装置１を容易に設置することができる。
【００７８】
図８は、本発明の実施のさらに他の形態として導水装置１を撓み部１７で一部を持ち上げて排水溝２３に設置した状態を示す鉛直断面図である。図８に示す導水装置１は、図１に示す導水装置１と類似しており、対応する構成に同一の符号を付し異なる構成についてだけ説明する。導水装置１は、溝２３に設置され撓み部１７で上方に一部を持ち上げられた構成となっている。導水装置１の撓み部１７の底部２９と溝内の排水溝２３の床面３０との略鉛直方向の距離Ｌ５は、５０ｍｍである。この場合にも、導水体３は、前述した毛細管現象によって、漏水を漏水溜まり部６から他端部３ｂまで移動させることができる。導水体３の他端部３ｂから排出された漏水は、排出管路２７を流下する。したがって、前述したように導水装置１は、毛細管現象とサイホンの原理によって、漏水溜まり部６から排水ピットまで漏水を導くことができる。
【００７９】
導水装置１によれば、導水装置１を溝内などに設置して漏水を導く場合、導水装置１の一部を上方に持ち上げることによって、地下構造物の主筋などの障害物を避けることができる。したがって、導水装置１を容易に設置することができる。
【００８０】
図９は、導水装置１を風呂の洗い場のドレーンに適用した場合を示す図である。風呂の洗い場は、図９（ａ）に示すようにコンクリート床３２と化粧タイル３０との間に、防水層３１および砂セメント３４が介在する。砂セメント３４は、防水層１２１と化粧タイル３０との間に介在する。配水管３３は、化粧タイル３０に開口しており化粧タイル上の水を排水する。
【００８１】
このように風呂場の水は、配水管３３から排水されるが、各化粧タイル３０の目地部３８から、水が砂セメント１２４に滲みこむ場合がある。砂セメント１２４に滲みこんだ水は、防水層１２１に溜まる。このように砂セメントに滲みこんだ水は、排水されないので、この水が腐敗して、悪臭の原因となる。このような構造は、風呂の洗い場だけでなく、洗面所や台所のタイル床、浴槽の裏側などが同じ構造である。
【００８２】
このような悪臭は清掃しただけでは取り除くことができず、悪臭を防ぐためには化粧タイル３０と防水層３１との間に水が溜まらないような構造にする必要がある。化粧タイル３０と防水層３１との間に水が溜まらない構造とするためには、排水ドレーン３５を二重排水構造とする方法があるが、この場合にはコストが高くなってしまう。
【００８３】
そこで、導水装置１を化粧タイル３１と防水層３１との間に設置することで、低コストで排水処理を行うことができる。つまり、図９(ｂ)に示すように、導水路本体２の一端部を水溜り部３７に浸け、排出管路体５の他端部５ｂを配水管３３に接続する。このときコンクリート床１２２に孔を形成して導水路本体２を通すことになるが、防水層１２１に孔が形成されることは避けたい。そこで、図９（ｂ）に示すように導水路本体２を入口３６を介して配水管３３に接続する。
【００８４】
このように入口３６を介して外に出すと、その分だけ導水路本体１を持ち上げる必要があるが、前述したように、導水装置１では、１５０ｍｍ程度の障害は、水を汲み上げて排水することができるので、確実に排水することができる。また、水溜り部３７から入口３６までの距離が１ｍ以上であっても、前述したように良好に水溜まり部３７の水を導水して、排水管３３に排出することができる。
【００８５】
また、導水装置１は、前述したように風呂場の洗い場やトイレ、台所のタイル床、浴槽の裏側などへの適用に限らず、図１０に示すように、雨水などの排水溝４４に溜まる水を排水する場合にも適用することができる。排水溝４４は、通常勾配がついているが、逆勾配となって人目につかない溝の奥の方に水溜まり４５ができる場合がある。これによって、蚊やボウフラの発生源となる場合がある。このような排水溝に導水装置１を適用することで、確実に排水し、悪臭の原因を抑えることが可能となる。また、水溜り４５から排水場所までの距離が１ｍ以上であっても、前述したように良好に水溜まり４５の水を排水場所に導水して、排出することができる。
【００８６】
図１１は、本発明の実施のさらにまた他の形態の導水装置１Ａを、床構造体８に設置した状態で示す鉛直断面図である。図１１に示す導水装置１Ａは、図１に示す導水装置１と類似しており、対応する構成に同一の符号を付し異なる構成についてだけ説明する。本実施形態の導水装置１Ａは、一端部が漏水溜まり部６に設けられ、漏水溜まり部６から排水溝２３を経て排水孔２２にわたって延在し、排水孔２２を挿通して、他端部が下方に垂下されて排水ピット２０の上方に配置されるように設けられている。
【００８７】
導水装置１Ａは、導水路本体２と導水体３とバイパス管路体４１および排出管路体５を含む。導水路本体２は、中空筒状の管状の部材であり、一端部２ａが漏水溜まり部６に設けられ、他端部２ｂが一端部２ａよりも下方に配置されている。
【００８８】
導水体３は、導水路本体２によって形成される導水路２６に充填して設けられ、一端部３ａで漏水溜まり部６の水を吸収し、毛細管現象を利用して導水路２６の他端２６に漏水を導く。バイパス管路体４１は、一端部４１ａが漏水溜まり部に設けられ、他端部４１ｂが排出管路体５の一端部５ａに接続される。排出管路体５は、一端部５ａが管継手などで導水路本体２の他端部２ｂおよびバイパス管路体４１の他端部４１ｂと接続されている。導水路本体２とバイパス管路体４１と排出管路体５との接続は、たとえばＹ型管継手などを用いて流路を塞ぐことなく接続する。
【００８９】
導水路本体２は、一端部２ａが漏水溜まり部６に設けられ、漏水たまり部内の空間６ｓで開口し、漏水溜まり部６から排水孔２２にわたって排水溝２３に略水平に延在し、排水孔２２を挿通して他端部２ｂが排水ピット２０の上方に配置されるように、床構造体８から下方に突出して垂下される。これによって、導水路本体２は、他端部２ｂが一端部２ａよりも下方に配置される。
【００９０】
バイパス管路体４１は、たとえば中空筒状の管路体である。バイパス管路体４１の一端部４１ａは漏水溜まり部６内の空間６ｓで開口する。バイパス管路体４は、可撓性を有する合成樹脂のホースなどを用いることができる。本実施の形態では、塩化ビニルから成るホースが用いられる。
【００９１】
本実施の形態では、導水装置１による漏水溜まり部６から排水孔２２までの略水平方向の導水距離Ｌ６は、たとえば１ｍである。排出管路体５の軸線方向の長さ（鉛直方向寸法）Ｌ７は、たとえば５０ｃｍである。また排水溝２２を挿通して設けられる通路形成体３５の鉛直方向寸法Ｌ８は、たとえば３０ｃｍである。
【００９２】
導水路本体２内には、導水体３が充填されている。また、導水路本体２外に設けられるバイパス管路体４１によってバイパス管路４６が形成される。バイパス管路４６は、漏水溜まり部６内の内部空間６ｓから排出管路２７に連なる。
【００９３】
このように、本実施の形態では、バイパス管路体４１を導水路本体２の外方に設け導水装置１Ａを構成しても、導水体３の毛細管現象によって、漏水を導水路２６の他端２６ｂに導き、排出管路２７を流下することによって、導水路２６およびバイパス管路４６が減圧される。したがって、導水装置１Ａは導水装置１と同様にサイホンの原理によって漏水を漏水溜まり部６から排水ピットまで大きな流量で迅速に導くことができる。このように導水装置１Ａは、前述の導水装置１と同様の効果が得られる。
【００９４】
また、バイパス管路体４１を、導水路本体２に沿わせて設け、他端部４１ｂを排出管路体５の一端部５ａに接続するだけの簡単な構成で、バイパス管路４６を形成し、前述の優れた効果を達成する導水装置を実現することができる。
【図面の簡単な説明】
【００９５】
【図１】本発明の実施の一形態である導水装置１が床構造体８に設置された状態を示す鉛直断面図である。
【図２】導水装置１を軸線を含む一平面で切断した断面図である。
【図３】非結束状態の導水体３を示す図である。
【図４】導水装置１を導水路本体２の長手方向の中央部付近で軸線に垂直に切断した断面を模式的に示す図である。
【図５】サイホンの原理および毛細管現象を利用する導水動作を説明するための鉛直断面図である。
【図６】サイホンの原理および毛細管現象を利用する導水動作を説明するための鉛直断面図である。
【図７】本発明の実施の他の形態として、導水装置１を漏水溜まり部６の底部６ａが導水装置１を設置する床面２８よりも低い位置にある場合に導水装置１を設置した状態を示す鉛直断面図である。
【図８】本発明の実施のさらに他の形態として導水装置１を撓み部１７で一部を持ち上げて排水溝２３に設置した状態を示す鉛直断面図である。
【図９】導水装置１を風呂の洗い場のドレーンに適用した場合を示す図である。
【図１０】排水溝４０の断面図である。
【図１１】本発明の実施のさらにまた他の形態の導水装置１Ａを、床構造体８に設置した状態で示す鉛直断面図である。
【図１２】従来の技術の導水構造１０１を示す鉛直断面図である。
【図１３】他の従来の技術の導水装置１０１Ａを示す鉛直断面図である。
【図１４】さらに他の従来の技術の導水装置１０１Ｂを示す鉛直断面図である。
【符号の説明】
【００９６】
１  導水装置
２  導水路本体
３  導水体
４  通路形成体
５  排出管路体
４１  バイパス管路体
【図１】
2006336325.tif 000003
【図２】
2006336325.tif 000004
【図４】
2006336325.tif 000005
【図５】
2006336325.tif 000006
【図６】
2006336325.tif 000007
【図７】
2006336325.tif 000008
【図８】
2006336325.tif 000009
【図９】
2006336325.tif 000010
【図１０】
2006336325.tif 000011
【図１１】
2006336325.tif 000012
【図１２】
2006336325.tif 000013
【図１３】
2006336325.tif 000014
【図１４】
2006336325.tif 000015
【図３】
2006336325.tif 000016